(57)【要約】【課題】設計者が提案したデザインに商品要求者の希望を反映させた商品の実際に製造・売買する際の仲介支援を行う。【解決手段】ＷＷＷサーバー機能と、設計モデルを設計者ＩＤに対応付けしてデータベース登録する手段と、ある設計モデルとそれを起源とした提供モデルと提供者ＩＤとを対応付けしてデータベース登録する手段と、ある設計モデルとそれを起源とした要求モデルと要求者ＩＤとを対応付けしてデータベース登録する手段と、要求者コンピュータの指示により要求モデルを売買市場に登録するようにデータベースで管理する手段と、この要求モデルと同じ起源の設計モデルに対応する提供モデルを売買市場に登録し、これら要求モデルと提供モデルとを対応付けする手段と、ある要求者モデルに対応付けされている提供モデルの注文依頼を受け付け、該当の提供者に提供モデルの注文書を発送する手段とを備えた商品仲介支援装置としている。【選択図】      図２
2004234127.tif 000002
【特許請求の範囲】
【請求項１】
情報通信ネットワークに接続されたコンピュータにより構成され、提供者と要求者との商品売買や、商品の設計者と提供者との製造・販売契約を仲介するＷＷＷサーバー機能を備えた商品仲介支援装置であって、
商品設計者が操作する設計者コンピュータから商品の基本仕様を所定のフォーマットに従って記述した設計モデルデータの登録要求を受け付け、当該設計モデルデータに当該設計者に固有の設計者ＩＤに対応付けしてデータベースに登録する設計モデル登録手段と、
商品提供者が操作する提供者コンピュータからある設計モデルデータの指定情報やこの当該設計モデルデータに対する情報の追加や許容範囲内の仕様変更などを受け付け、当該設計モデルデータや追加情報や仕様変更を反映させた設計モデルデータを提供モデルデータとして、この提供モデルデータの起源となった設計モデルデータと当該提供者に固有の提供者ＩＤとを対応付けしてデータベースに登録する提供モデル登録手段と、
商品の使用や購入を希望する商品要求者が操作する要求者コンピュータからある設計モデルデータの指定情報や当該設計モデルデータに対する情報の追加や許容範囲内の仕様変更などを受け付け、当該設計モデルデータや追加情報や仕様変更を反映させた設計モデルデータを要求モデルデータとして、この要求モデルデータの起源となった設計モデルデータと当該要求者に固有の要求者ＩＤとを対応付けしてデータベースに登録する要求モデル登録手段と、
ある要求者コンピュータＡから該当の要求者ＩＤに対応付けされている要求モデルデータＢを売買市場に登録する旨の指示を受け付け、当該要求モデルデータＢを売買市場に登録されたものとしてデータベースで管理する要求モデル市場登録手段と、
前記要求モデルデータＢと起源が同じ設計モデルデータＣに対応付けされている提供モデルデータのうち、要求モデルデータＢが備える仕様や追加条件に対して所定基準以上対応可能な提供モデルデータ群Ｄを要求モデルデータＢに対応付けした上で前記売買市場に登録する提供モデル市場登録手段と、
要求者コンピュータＡから要求者モデルデータＢに対応付けされている提供モデルデータ群Ｄに含まれる特定の提供モデルデータＥに基づく商品の注文依頼を受け付け、提供モデルデータＥに対応付けされている提供者ＩＤに該当する提供者に提供モデルデータＥに基づく商品の注文書を所定の情報通信手段により通知する注文仲介手段と、
を備えたことを特徴とする商品仲介支援装置。
【請求項２】
情報通信ネットワークに接続されたコンピュータにより構成され、商品の提供者と購入者との売買や、商品の設計者と提供者との製造・販売契約を仲介する商品仲介支援装置であって、
商品設計者が操作する設計者コンピュータから商品の基本仕様を所定のフォーマットに従って記述した設計モデルデータの登録要求を受け付け、当該設計モデルデータに当該設計者に固有の設計者ＩＤに対応付けしてデータベースに登録する設計モデル登録手段と、
商品提供者が操作する提供者コンピュータからある設計モデルデータの指定情報やこの当該設計モデルデータに対する情報の追加やパラメータの変更などを受け付け、当該設計モデルデータや追加情報やパラメータ変更を反映させた設計モデルデータを提供モデルデータとして、この提供モデルデータの起源となった設計モデルデータと当該提供者に固有の提供者ＩＤとを対応付けしてデータベースに登録する提供モデル登録手段と、
商品の使用や購買を希望する商品要求者が操作する要求者コンピュータからある設計モデルデータの指定情報や当該設計モデルデータに対する情報の追加やパラメータ変更などを受け付け、当該設計モデルデータや追加情報やパラメータ変更を反映させた設計モデルデータを要求モデルデータとして、この要求モデルデータの起源となった設計モデルデータと当該要求者に固有の要求者ＩＤとを対応付けしてデータベースに登録する要求モデル登録手段と、
ある提供者コンピュータＡから、ある要求者モデルデータＢに基づく提供モデルデータＣを売買市場に登録する旨の指示を受け付け、提供モデルデータＣを売買市場に登録されたものとしてデータベースで管理する提供モデル市場登録手段と、
要求者コンピュータＤから要求者モデルデータＥに対応付けされている提供モデルデータＦの注文要求を受け取ると、提供モデルデータＦに対応付けされている提供者ＩＤに該当する提供者に提供モデルデータＦに基づく商品の注文書を所定の情報通信手段により通知する注文受付手段と、
を備えたことを特徴とする商品仲介支援装置。
【請求項３】
請求項１または２において、ある設計者の設計者コンピュータから該当の設計者ＩＤに対応付けされている設計モデルデータの変更要求を受け付けて、当該設計モデルデータを設計者コンピュータに送達するとともに、この設計モデルデータに対して設計者コンピュータがした変更を受け付け、変更後の設計モデルデータを変更前の設計モデルデータに置換してデータベースを更新することを特徴とする商品仲介支援装置。
【請求項４】
請求項１または２において、ある提供者の提供者コンピュータから該当の提供者ＩＤに対応付けされている提供モデルデータの変更要求を受け取ると、当該提供モデルデータを提供者コンピュータに送達するとともに、この提供モデルデータに対して提供者コンピュータがした変更を受け付け、変更後の提供モデルデータを変更前の提供モデルデータに置換してデータベースを更新することを特徴とする商品仲介支援装置。
【請求項５】
請求項１または２において、ある要求者の要求者コンピュータから該当の要求者ＩＤに対応付けされている要求モデルデータの変更要求を受け取ると、当該要求モデルデータを要求者コンピュータに送達するとともに、この要求モデルデータに対して要求者コンピュータがした変更を受け付け、変更後の要求モデルデータを変更前の要求モデルデータに置換してデータベースを更新することを特徴とする商品仲介支援装置。
【請求項６】
コンピュータにインストールされて実行されることで、このコンピュータを請求項１〜５のいずれかに記載の商品仲介支援装置として機能させることを特徴とするコンピュータプログラム。
【請求項７】
請求項６に記載のコンピュータプログラムを格納したプログラム格納媒体。
【発明の詳細な説明】
【０００１】
【発明の属する技術分野】
この発明は、情報通信ネットワークを介した他のコンピュータとの通信に基づいて、ある商品についての設計者と製造販売者との製造／販売の仲介支援や、提供者と商品要求者（使用者、購入者）との商品売買の仲介支援を行うコンピュータにより構成された商品仲介支援装置に関する。
【０００２】
【従来の技術】
ある商品を使用したり購入したりする人（商品要求者）が実際のその商品を購入する場合、普通、大量生産された既成の商品から自身の希望に添う仕様の商品を探して購入する。しかし、商品の仕様が希望の仕様と異なる場合には、希望する仕様に可能な限り近い仕様の商品を購入することになる。
【０００３】
一方、注文建築による家屋の購入などでは、商品の仕様を商品要求者が設定する。この場合、商品要求者は、自身の希望に添う仕様の家屋を設計してくれる設計事務所（商品設計者）を探し、その上で、その設計通りに家屋を施工してくれる会社（商品提供者）に施工を依頼する。したがって要求者は、膨大な選択肢の中から商品設計者や商品提供者を選定する必要があり、時間と労力を要する。
【０００４】
要求者が希望する仕様やデザインを商品提供者に確実に伝達するためには、ある程度専門的な知識が要求され、できあがった商品が要求通りの仕様・デザインにならない可能性もある。要求する仕様が確実に伝わったとしても、仕様やデザイン通りの商品を提供できる技術が商品提供者側にない場合もある。
【０００５】
そこで、商品要求者の希望と商品提供者が提供する実際の商品とを整合させるために、以下の特許文献１には、情報通信ネットワークを通じて、デザインに関する情報提供者から商品のデザインを受け付けたり、そのデザインに対する商品要求者の反応や希望などを受け付けたりして、商品提供者による商品開発の指針を提供するためのデザイン情報中継システムが開示されている。
【０００６】
【特許文献１】
特開２００２−１２３６２６号公報
【０００７】
【発明が解決しようとする課題】
しかしながら、上記特許文献１に記載のデザイン情報中継システムは、個々の商品要求者の希望に添って商品提供者が個々の商品を製造・販売することには対応していない。商品提供者は、商品要求者の傾向を把握し、その傾向に沿った商品を開発してそれを商品要求者に提供する。したがって商品提供者は、このシステムを利用して市場調査を行っているに過ぎない。
【０００８】
本発明は、設計者が提案したデザインにもとづいて商品提供者が実際に商品を製造販売する際の仲介支援や、設計者が提案したデザインに商品要求者の希望を反映させた商品の実際に製造・売買する際の仲介支援を行うための商品仲介支援装置を提供することを目的としている。
【０００９】
【課題を解決するための手段】
上記目的を解決するための本発明は、情報通信ネットワークに接続されたコンピュータにより構成され、提供者と要求者との商品売買や、商品の設計者と提供者との製造・販売契約を仲介するＷＷＷサーバー機能を備えた商品仲介支援装置であって、商品設計者が操作する設計者コンピュータから商品の基本仕様を所定のフォーマットに従って記述した設計モデルデータの登録要求を受け付け、当該設計モデルデータに当該設計者に固有の設計者ＩＤに対応付けしてデータベースに登録する設計モデル登録手段と、商品提供者が操作する提供者コンピュータからある設計モデルデータの指定情報やこの当該設計モデルデータに対する情報の追加や許容範囲内の仕様変更などを受け付け、当該設計モデルデータや追加情報や仕様変更を反映させた設計モデルデータを提供モデルデータとして、この提供モデルデータの起源となった設計モデルデータと当該提供者に固有の提供者ＩＤとを対応付けしてデータベースに登録する提供モデル登録手段と、商品の使用や購入を希望する商品要求者が操作する要求者コンピュータからある設計モデルデータの指定情報や当該設計モデルデータに対する情報の追加や許容範囲内の仕様変更などを受け付け、当該設計モデルデータや追加情報や仕様変更を反映させた設計モデルデータを要求モデルデータとして、この要求モデルデータの起源となった設計モデルデータと当該要求者に固有の要求者ＩＤとを対応付けしてデータベースに登録する要求モデル登録手段と、ある要求者コンピュータＡから該当の要求者ＩＤに対応付けされている要求モデルデータＢを売買市場に登録する旨の指示を受け付け、当該要求モデルデータＢを売買市場に登録されたものとしてデータベースで管理する要求モデル市場登録手段と、前記要求モデルデータＢと起源が同じ設計モデルデータＣに対応付けされている提供モデルデータのうち、要求モデルデータＢが備える仕様や追加条件に対して所定基準以上対応可能な提供モデルデータ群Ｄを要求モデルデータＢに対応付けした上で前記売買市場に登録する提供モデル市場登録手段と、要求者コンピュータＡから要求者モデルデータＢに対応付けされている提供モデルデータ群Ｄに含まれる特定の提供モデルデータＥに基づく商品の注文依頼を受け付け、提供モデルデータＥに対応付けされている提供者ＩＤに該当する提供者に提供モデルデータＥに基づく商品の注文書を所定の情報通信手段により通知する注文仲介手段とを備えている。
【００１０】
あるいは、商品設計者が操作する設計者コンピュータから商品の基本仕様を所定のフォーマットに従って記述した設計モデルデータの登録要求を受け付け、当該設計モデルデータに当該設計者に固有の設計者ＩＤに対応付けしてデータベースに登録する設計モデル登録手段と、商品提供者が操作する提供者コンピュータからある設計モデルデータの指定情報やこの当該設計モデルデータに対する情報の追加やパラメータの変更などを受け付け、当該設計モデルデータや追加情報やパラメータ変更を反映させた設計モデルデータを提供モデルデータとして、この提供モデルデータの起源となった設計モデルデータと当該提供者に固有の提供者ＩＤとを対応付けしてデータベースに登録する提供モデル登録手段と、商品の使用や購買を希望する商品要求者が操作する要求者コンピュータからある設計モデルデータの指定情報や当該設計モデルデータに対する情報の追加やパラメータ変更などを受け付け、当該設計モデルデータや追加情報やパラメータ変更を反映させた設計モデルデータを要求モデルデータとして、この要求モデルデータの起源となった設計モデルデータと当該要求者に固有の要求者ＩＤとを対応付けしてデータベースに登録する要求モデル登録手段と、ある提供者コンピュータＡから、ある要求者モデルデータＢに基づく提供モデルデータＣを売買市場に登録する旨の指示を受け付け、提供モデルデータＣを売買市場に登録されたものとしてデータベースで管理する提供モデル市場登録手段と、要求者コンピュータＤから要求者モデルデータＥに対応付けされている提供モデルデータＦの注文要求を受け取ると、提供モデルデータＦに対応付けされている提供者ＩＤに該当する提供者に提供モデルデータＦに基づく商品の注文書を所定の情報通信手段により通知する注文受付手段とを備えた商品仲介支援装置としてもよい。
【００１１】
上記商品仲介支援装置において、ある設計者の設計者コンピュータから該当の設計者ＩＤに対応付けされている設計モデルデータの変更要求を受け付けて、当該設計モデルデータを設計者コンピュータに送達するとともに、この設計モデルデータに対して設計者コンピュータがした変更を受け付け、変更後の設計モデルデータを変更前の設計モデルデータに置換してデータベースを更新する商品仲介支援装置とすることもできる。
【００１２】
または、ある提供者の提供者コンピュータから該当の提供者ＩＤに対応付けされている提供モデルデータの変更要求を受け取ると、当該提供モデルデータを提供者コンピュータに送達するとともに、この提供モデルデータに対して提供者コンピュータがした変更を受け付け、変更後の提供モデルデータを変更前の提供モデルデータに置換してデータベースを更新する商品仲介支援装置としてもよい。
【００１３】
ある要求者の要求者コンピュータから該当の要求者ＩＤに対応付けされている要求モデルデータの変更要求を受け取ると、当該要求モデルデータを要求者コンピュータに送達するとともに、この要求モデルデータに対して要求者コンピュータがした変更を受け付け、変更後の要求モデルデータを変更前の要求モデルデータに置換してデータベースを更新する商品仲介支援装置とすることもできる。
【００１４】
また本発明の範囲は、コンピュータにインストールされて実行されることで、このコンピュータを上記いずれかに記載の商品仲介支援装置として機能させるコンピュータプログラムやこのコンピュータプログラムを格納したプログラム格納媒体にも及んでいる。
【００１５】
【発明の実施の形態】
＝＝＝ネットワーク構成＝＝＝
図１に本発明の実施例に係る商品仲介支援装置を含むネットワーク構成図を示した。この例では、インターネットに商品設計者（以下、設計者）が操作する設計者コンピュータ１０と、商品提供者（以下、提供者）が操作する提供者コンピュータ２０と、商品要求者（以下、要求者）が操作する要求者コンピュータ３０と、これらコンピュータと通信して商品の製造や売買の仲介業者が管理する商品仲介支援装置（以下、支援装置）１とが接続されている。
【００１６】
設計者コンピュータ１０、提供者コンピュータ２０、要求者コンピュータ３０は、いずれもブラウザを備えたコンピュータであり、パーソナルコンピュータなどの汎用コンピュータを利用することができる。支援装置１は、ＷＷＷサーバーとしての基本機能を備えるとともに、大規模なデータベース２を付帯し、この支援装置１の利用会員として登録されている設計者、提供者、要求者を設計者ＩＤ、提供者ＩＤ、要求者ＩＤによって識別し、各者の個人情報やこの支援装置によって仲介される商品についての仕様やデザインを記述した各種モデルデータをこのデータベース２に蓄積管理している。
【００１７】
＝＝＝概略＝＝＝
本実施例の支援装置１によれば、設計者が提案したデザインに基づいて提供者が実際に商品を製造販売する際の仲介支援や、設計者が提案したデザインに要求者の希望を反映させた商品を提供者が実際に製造・売買する際の仲介支援を行う。支援装置１は商品の仲介支援サービスをインターネット上のＷｅｂサイトを通じて設計者・提供者・要求者の各者に提供している。このＷｅｂサイトのホームページは、各者をそれぞれ向けのサービスへと案内するように構成されており、各者は自身のコンピュータ（１０，２０，３０）を操作し、ホームページからハイパーリンクを辿ってＷｅｂサイト内の各種Ｗｅｂページやコンテンツを取り寄せたり、Ｗｅｂページ上のフォームに入力した情報を支援装置に送付したりする。支援装置１は各者のコンピュータ（１０，２０，３０）とのＨＴＴＰ通信を通じてデータベース２を更新しながら、商品仲介サービスを各者に提供していく。
【００１８】
図２に支援装置１における商品仲介サービスの流れを示した。サービスの提供手順としては、まず、設計者コンピュータ１０から商品に関する基本的なデザインやプラン（設計モデル）を受け付ける（ｓ１）。提供者がその設計モデルに対して製造・販売の可能性を判断し、製造販売の意志決定がなされれば、提供者コンピュータ２０から実際に製造販売できる仕様やデザイン（提供モデル）の提示を受け付ける（ｓ２）。要求者が設計モデルを起源とした商品の購入を希望すれば、要求者コンピュータ３０から購入希望の仕様やデザイン（要求モデル）を受け付ける（ｓ３）。
【００１９】
つぎに、要求者が商品の購入意志を表明するため、要求モデルを支援装置１に用意されている所定の公開場所（Ｗｅｂページなど：売買市場）に公開して製造販売してくれる提供者を募る（要求モデル市場登録：ｓ４）。あるいは、提供者が要求モデルに対して製造販売が可能かを判断し、可能であれば、自身の提供者モデルを売買市場に公開する（提供モデル市場登録：ｓ５）。そして、支援装置１は、提供モデルと要求モデルとの整合性に基づいて、提供者と要求者との商品売買手続を仲介する（注文仲介：ｓ６）。
【００２０】
＝＝＝設計モデル登録＝＝＝
ある商品（工業製品、旅行プランなど）の設計者が自身の設計者コンピュータ１０を操作して支援装置１にアクセスし、ホームページから設計者用のサービスへとリンクを辿り、そのリンクを辿る過程で設計者コンピュータ１０に送達される各種Ｗｅｂページを通じて設計モデルの登録手続をするものとする。
【００２１】
図３に設計モデルの登録手続（ｓ１）に関する具体的な流れ図を示した。自身が設計・立案した商品（設計モデル）についての基本的な仕様などを所定の書式に従って記述したデータ（設計モデルデータ）を登録するためのＷｅｂページ（設計モデル登録ページ）を取り寄せる（ｓ１１，ｓ１２）。図４に設計モデル登録ページ画面の一例を示した。
【００２２】
設計モデル登録ページ上には、この設計者のＩＤとパスワードなどの認証情報を入力するためのフォームがあり、このフォームに記入した情報と設計者コンピュータ１０にて作成された設計モデルデータとを設計モデル登録指示として支援装置１に送付する（ｓ１３）。この設計者が会員として未登録である場合には、設計モデル登録ページ上にある個人情報の入力欄に所要事項を記入した上で設計モデルデータを添付ファイルなどにして支援装置１に送付する。図５に設計モデルデータの概要を示した。設計モデルを規定するための各種要件に対して具体的な条件が記載されている。なお、設計モデルデータを記述するための書式は支援装置１からオンラインで取り寄せてもよいし、設計者側で別途用意してもよい。
【００２３】
また本実施例では、設計した商品の紹介を目的とした、例えば、商品のイメージ画像や機能説明のための動画データなどを商品紹介データとして設計モデルデータとともに支援装置１に送付することができる。
【００２４】
支援装置１は設計者コンピュータから設計モデルデータが認証情報とともに送達されると、その認証情報をデータベースに照会し、会員登録されている設計者であることを確認した上で、この設計モデルデータに固有の設計モデルＩＤを付与し、該当の設計者ＩＤに設計モデルＩＤを対応付けしてデータベース２に登録する。商品紹介データが送付されれば、これも設計者ＩＤに対応付けしてデータベース２に登録する（ｓ１４〜ｓ１６）。そして、設計モデルデータについての登録情報（設計モデルＩＤ、登録年月日など）と、設計モデルを登録した旨とを記載したＷｅｂページ（登録確認ページ）を設計者コンピュータ１０に返送する（ｓ１７）。なお、登録情報については別途電子メールなど、別の情報通信手段により該当の設計者に通知することとしてもよい。
【００２５】
また、未登録の設計者からの設計モデルデータを受け付けた場合には、設計モデル登録ページに記入された個人情報をデータベースに登録した上で、この設計者にＩＤとパスワードとを付与し、それを登録情報とともに登録確認ページに記載すればよい。もちろん、設計者ＩＤやパスワードを設計者側が設定するように設計モデル登録ページ上にその認証情報を記入するフォームを用意しておくことも可能である。
【００２６】
＝＝＝提供モデル登録＝＝＝
図６に提供モデルの登録手続（ｓ２）に関する具体的な流れ図を示した。ある商品に関する設計モデルデータに基づいて実際の商品を製造・販売する提供者が自身の提供者コンピュータ２０を操作して支援装置１にアクセスし、設計モデルデータを閲覧するためのＷｅｂページを取り寄せる。この例において、支援装置１は、商品名や商品ジャンルなどがクエリーとして提供者コンピュータ２０から与えられると、そのクエリーをデータベース２に照会して該当する設計モデルを検索結果として提示するデータベース検索機能を備えている。支援装置１は、提供者コンピュータ２０からのクエリーを受け付けると、検索結果として、該当する全ての設計モデルについての仕様の一部など所定の情報と、提供者コンピュータ２０により指定された設計モデルデータを送付するための機能と、認証情報あるいは個人情報の入力欄とを含んだＷｅｂページ（設計モデル指定ページ）を提供者コンピュータに送達する（ｓ２１，ｓ２２）。
【００２７】
提供者が、設計モデル指定ページ上に記載されているある設計モデルに関心があり、その詳細なデータを取り寄せようと思えば、その設計モデルを指定し、設計モデル指定ページにある認証情報の入力欄に所要事項を記入した上で、設計モデルデータの送付指示を支援装置１に送付する。なお、提供者が会員登録されていない場合には、提供者の個人情報を所定の入力欄に記入した上で設計モデルデータの送付指示を支援装置１に送付する（ｓ２３，ｓ２４）。
【００２８】
支援装置１は提供者コンピュータ２０から設計モデルデータの送付指示が送達されると、この要求に含まれる認証情報をデータベース２に照会し、会員登録されている提供者であることを確認した上で、該当の設計モデルデータについての内容が記載されたＷｅｂページ（設計モデル説明ページ）を送達する（ｓ２５〜ｓ２７）。未登録の提供者であれば、この提供者に固有の提供者ＩＤやパスワードなどを付与し、設計モデル要求ページに記入された個人情報をこの提供者ＩＤに対応付けしてデータベース２に登録する。そして、提供者ＩＤとパスワードとが記載された設計モデル説明ページを提供者コンピュータ２０に送達する。
【００２９】
提供者は支援装置１から送達された設計モデルデータの内容を検討し、この設計モデルデータに基づいて実際に製造販売する商品（提供モデル）の提供を決意したならば、設計モデル説明ページ上の所定のボタンを指示するなどして、提供モデルの作成を支援装置１に指示する（ｓ２８）。
【００３０】
支援装置１は、提供モデル作成指示を受け付けると、起源となる設計モデルデータに基づいて提供モデルデータを作成し、この提供モデルデータにＩＤを付与する。そして、この作成した提供モデルデータに所定の情報を入力してもらうためのＷｅｂページ（提供モデル仕様受付ページ）を提供者コンピュータ２０に送達する（ｓ２９〜ｓ３１）。
【００３１】
提供者は設計モデルデータに基づいて実際の商品を製造販売する際、同じ設計モデルデータを起源とする商品であっても、自身の商品に特徴を持たせて他社（者）と差別化したり、製造技術の関係で仕様を限定したりする必要などがある。そこで提供者は、提供者コンピュータ２０にて、設計モデルに対して仕様変更や情報追加を行い、その変更された仕様に関する情報や追加された情報を提供モデル仕様受付ページ上の所定の記入欄に入力した上で、その入力情報を支援装置１に返送して提供モデルの登録指示を出す（ｓ３２，ｓ３３）。支援装置１は、提供モデル登録指示を受け付けると、提供モデルデータの起源となった設計モデルデータと該当の提供者ＩＤとを対応付けしてデータベースに登録し、提供モデルデータの内容（提供モデルＩＤ、対応する設計モデルＩＤ、登録年月日など）を記載したＷｅｂページ（登録確認ページ）を提供者コンピュータ２０に送達する（ｓ３４，ｓ３５）。図７に提供モデルデータの概略を示した。設計モデルに対し、要件の具体的な条件が変更されたり要件自体が追加されたりするなどして、仕様や追加された情報が反映されている。この例では、商品の色が具体的に示されている。
【００３２】
＝＝＝要求モデル登録＝＝＝
図８に要求モデルの登録手続（ｓ３）に関する具体的な流れ図を示した。ある商品に関する設計モデルデータに基づいて製造・販売される商品を購入・使用とする要求者が自身の要求者コンピュータ３０を操作して支援装置１にアクセスし、支援装置１の検索機能を利用してある設計モデルについての商品紹介データを閲覧するためのＷｅｂページ（商品紹介データ指定ページ）を取り寄せる（ｓ４１，ｓ４２）。
【００３３】
要求者が、商品紹介データ指定ページ上に記載されているある設計モデルに関心があり、その商品紹介データを取り寄せようと思えば、それの送付指示を支援装置１に送付し、支援装置１は指定された商品紹介データを含んだＷｅｂページ（商品紹介ページ）を要求者コンピュータ３０に送達する（ｓ４３〜ｓ４６）。要求者が商品紹介データに基づく商品の内容説明を閲覧し、この商品の購入を決意したならば、商品紹介ページ上にある認証情報の入力欄に所要事項を記入した上で、紹介された商品の購入する意志がある旨を要求モデル作成指示として支援装置１に送付する。なお、要求者が会員登録されていない場合には、要求者の個人情報を所定の入力欄に記入した上で要求モデルの作成指示を支援装置１に送付する。
【００３４】
支援装置１は、要求モデル作成指示を受け付けると、この指示に含まれる認証情報をデータベース２に照会し、会員登録されている要求者であることを確認した上で、該当の設計モデルデータに基づいて要求モデルデータを作成し、この要求モデルデータに要求モデルＩＤを付与する（ｓ４８〜ｓ５０）。そして、要求モデルデータを該当の要求者ＩＤに対応付けする。また、起源となる設計モデルデータに提供モデルデータが対応付けされているのであれば、この提供モデルデータをデータベース２より読み出し、起源となった設計モデルデータとともにこの提供モデルデータも同じく要求者ＩＤに対応付けしてデータベース２に登録する（ｓ５１）。そして、要求者モデルを作成した旨を記載したＷｅｂページ（要求モデル作成確認ページ）を要求者コンピュータ３０に送達する（ｓ５２）。なお、会員登録されていない要求者であれば、この要求者に固有の要求者ＩＤやパスワードなどを付与し、商品紹介ページに記入された個人情報をこの要求者ＩＤに対応付けしてデータベースに登録し、その要求者ＩＤとパスワードとを要求モデル作成確認ページに記載しておく。
【００３５】
要求者が自分の希望により合致した商品を購入したいと思うのは当然であり、そのために、支援装置１は、先に作成した要求モデルに対して仕様変更や情報追加を要求者コンピュータ３０から受け付けるための機能を備えている。図９にこの要求モデルの変更手続に関する流れを示した。要求者コンピュータ３０が支援装置１にアクセスして要求モデルの変更手続のサービス窓口となるＷｅｂページ（要求モデル変更手続ページ）を取り寄せる（ｓ６１，ｓ６２）。この要求モデル変更手続ページには認証情報の記入欄と要求モデルＩＤの記入欄とが含まれている。
【００３６】
支援装置１は、要求者コンピュータ３０から認証情報と要求モデルＩＤとを含んだ要求モデル変更指示を受け取ると、認証情報に基づいて認証手続きを行い、会員登録されている要求者であることを確認した上で、該当する要求モデルＩＤに該当する要求モデルデータをデータベースより読み込む（ｓ６４，ｓ６５）。そして、この要求モデルデータに対する各種変更や情報追加を受け付けるためのＷｅｂページ（要求モデル仕様受付ページ）を返送する（ｓ６６）。
【００３７】
この要求モデル仕様受付ページには、要求モデルデータの起源となる設計データに対して要求者により仕様変更が可能な各種設定や追加可能な情報についての入力欄、および商品の各スペックに対してどのスペックを重視するのかの重み付けを指定するための機能が含まれており、要求者は、要求者コンピュータ３０にて、この要求モデル仕様受付ページの所要欄に各種仕様変更や追加したい情報を入力したり、重み付けの数値などを選択したりして、それらの入力・選択情報を支援装置１に返送する（ｓ６７，ｓ６８）。
【００３８】
支援装置１は、このフォームデータを受け付けると、フォームデータによる設計モデルの変更が可能であるかどうかを検証する（ｓ６９）。すなわち、可能な仕様変更を超えたパラメータが入力されていたり、追加できない情報が記入されていたりしないかをチェックする。そして、検証により仕様変更や情報の追加が認められれば、送達されたフォームデータに基づいて該当する要求モデルデータを変更し、変更を受け付けた旨の登録確認ページを要求者コンピュータに送達する（ｓ７０→ｓ７２，ｓ７３）。なお、検証によって変更が認められなかった場合にはその旨を記載したＷｅｂページ（エラーページ）を送付すればよい（ｓ７０→ｓ７１）。なおこのエラーページに要求モデル仕様受付ページへのリンクを設定しておけば、提供者は、要求モデルに対して再度仕様変更や情報追加を行うことができる。図１０に要求モデルデータの概略図を示した。要件に対して条件が指定されていたり、要件に対する重み付けが指定されていたりする。
【００３９】
＝＝＝商品要求者による売買市場登録＝＝＝
要求モデルを実際に登録した要求者がこの要求モデル通りの商品を製造・販売してくれる提供者を募るための手続が要求モデル売買市場登録手続である。図１１に要求モデル売買市場登録手続（ｓ４）の流れを示した。要求者コンピュータ３０が支援装置１にアクセスして、要求モデルを売買市場に登録するための手続を行うためのＷｅｂページ（要求モデル市場登録手続ページ）を取り寄せる（ｓ８１，ｓ８２）。
【００４０】
この要求モデル市場登録手続ページには認証情報と要求者モデルＩＤの入力欄がある。支援装置１は、要求者コンピュータ３０から認証情報と売買市場に登録したい要求モデルのＩＤとを含んだ要求モデル市場登録指示を受け取ると、認証手続きをした上で、該当する要求モデルデータをデータベース２より読み込み、さらに、この要求モデルデータの起源となった設計モデルデータに対応付けされている全ての提供モデルをデータベース２より読み込む（ｓ８４〜ｓ８６）。そして、各提供モデルデータが要求モデルデータに記載されている各種条件に合致するかどうかを検証する（ｓ８７）。例えば、同じ商品であっても要求者が指定する色の商品を提供できなければ、その提供者の提供モデルはこの要求モデルが対象とする商品から除外されることになる。また、大きな重み付けが指定されている要件の条件が一致した提供モデルを優先して選出する。そして、要求モデルデータと、それが指定する条件に所定の基準以上一致する提供モデルデータと、これらモデルデータの起源となった設計モデルとを対応付けしてデータベース２を更新し、該当の要求モデルと検証を得た提供モデルを売買市場の登録モデルとして管理する（ｓ８８，ｓ８９）。そして、要求モデルが売買市場に登録された旨のＷｅｂページ（市場登録確認ページ）を要求者コンピュータ３０に送達する（ｓ９０）。
【００４１】
また、支援装置１は要求モデルに対応付けされた提供モデルの提供者に対し、これら提供モデルと要求モデルとが売買市場に登録された旨と、要求モデルについての内容とを記載した売買市場登録通知を電子メールにより送達する（ｓ９１）。なお、この通知は各提供者専用のＷｅｂページなどを用意しておき、提供者コンピュータ３０がそのＷｅｂページを取り寄せることで行うなど他の情報通信手段を用いて行ってもよい。もちろん、検証が得られなかった提供モデルの提供者に対しても、同じ設計モデルを起源とした要求モデルが売買市場に登録された旨を通知すれば、提供者は、その要求モデルの条件に合うように自身の提供モデルの仕様を再度変更する機会を得ることになる。
【００４２】
＝＝＝商品提供者による売買市場登録＝＝＝
支援装置１は、売買市場に登録されている要求モデルを提供者の閲覧に供することで、提供者に提供モデルを積極的に売買市場に登録してもらい、要求者と提供者との商品売買へと円滑に移行できるようにするためのサービスも提供している。図１２にこのサービス（提供モデル市場登録手続）の流れを示した。会員登録されている提供者の提供者コンピュータ２０が、売買市場に登録されている要求モデルについて、支援装置１が備える検索機能を利用し、提供者が製造・販売できると思われる、あるいは製造販売してみたいと思う要求モデルを検索する。具体的には、提供者コンピュータ２０が要求モデルを特定するための各種キーワードをクエリーとして支援装置１に与え、支援装置１はそのクエリーに対する検索結果として該当する要求モデルについての概要を一覧にしたＷｅｂページ（要求モデル一覧ページ）を送達する（ｓ１０１，ｓ１０２）。この要求モデル一覧ページには認証情報の入力欄と、その認証情報と一覧から要求モデルを選択してその選択情報を支援装置１に送付するための機能とが含まれている。
【００４３】
支援装置１は、提供者コンピュータ２０から認証情報と要求モデルの選択情報とを含んだＨＴＴＰリクエスト（設計モデル送付指示）を受け取ると、認証手続きを行った上で、該当の要求モデルの起源となった設計モデルデータを読み込み、その設計モデルデータを含んだＷｅｂページ（設計モデル説明ページ）を提供者コンピュータ３０に送付する（ｓ１０３〜ｓ１０７）。提供者は送付されてきた設計モデルデータに基づく設計モデルの内容説明を閲覧し、商品の製造・販売の可能性を検討する。そして、要求モデルの仕様に沿った提供モデルの製造・販売を決意したならば、売買市場に自身の提供モデルを登録する旨を提供モデル作成指示として支援装置１に通知する（ｓ１０８）。
【００４４】
支援装置１は提供モデル作成指示を受け取ると、起源となる設計モデルデータに基づいて提供モデルデータを作成し、その提供モデルデータにＩＤを付与する（ｓ１０９，ｓ１１０）。そして、その作成した提供モデルデータ対して提供者が仕様を変更したり情報を追加したりするためのＷｅｂページ（提供モデル仕様受付ページ）を提供者コンピュータ２０に送達する（ｓ１１１）。
【００４５】
提供者は、提供モデル仕様受付ページ上で、支援装置１により作成された提供モデルに対して要求モデルの仕様に沿う仕様変更や情報追加を行い、提供者コンピュータ２０により、その仕様変更情報や追加情報を含んだ提供モデル市場登録指示を支援装置１に送付する（ｓ１１２，ｓ１１３）。
【００４６】
支援装置１は、提供者コンピュータ２０から提供モデル市場登録指示を受け付け、仕様変更情報や追加情報に基づいて先に生成した提供モデルデータを変更し、提供者ＩＤにこの提供モデルデータと、その起源となった設計モデルデータ、および提供モデルデータの作成の契機となって提供者により選択された要求モデルデータとを対応付けしてこの提供モデルを売買市場に登録する（ｓ１１４）。そして、提供モデルを売買市場に登録した旨のＷｅｂページ（市場登録確認ページ）を提供者コンピュータ２０に送達する（ｓ１１５）。
【００４７】
＝＝＝注文手続＝＝＝
支援装置１は、要求者が自身の要求モデルに対応する提供モデルを実際に購入する際にその注文手続きを支援する注文仲介サービスも提供している。図１３に注文仲介サービス（ｓ６）の詳細な提供手順を示した。要求者は、要求者コンピュータ３０により、注文仲介サービスの手続へと案内するためのＷｅｂページ（注文手続案内ページ）を支援装置１より取り寄せる（ｓ１２１，ｓ１２２）。この注文手続案内ページには認証情報と要求モデルＩＤの記入欄と、これら記入欄に入力された情報を提供モデル一覧送付指示として支援装置１に送付するための機能とが含まれている。
【００４８】
支援装置１は、要求者コンピュータ３０から提供モデル一覧送付指示を受け取ると、この要求者コンピュータ３０を認証した上で、売買市場に登録されている提供モデルのうち、この指示に含まれている要求モデルＩＤに対応づけされているものを一覧にしたＷｅｂページ（提供モデル一覧ページ）を送達する（ｓ１２３〜ｓ１２５）。
【００４９】
要求者が提供モデル一覧ページに記載されている提供モデルの中に購入したいものがあれば、要求者コンピュータ３０により、その提供モデルを指定して、その指定提供モデルの注文指示を支援装置１に送付する（ｓ１２６，ｓ１２７）。
【００５０】
支援装置１は要求者コンピュータ３０からの注文指示を受け付けると、要求者の電子メールアドレスなど、連絡先を特定できる情報と、注文された提供モデルを特定するための情報とを記載した所定書式の注文書を作成し（ｓ１２８）、この注文書を該当の提供者に宛てて電子メールで送達する（ｓ１２９）。また、要求者コンピュータ３０に対して、注文書を発送した旨を記載したＷｅｂページ（注文書送付確認ページ）を送達する（ｓ１３０）。
【００５１】
電子メールを受け取った提供者は、その受領確認の電子メールを支援装置１宛てに返送し、支援装置はこの受領確認の電子メールを受け取ると、注文書の内容とともに受領確認電子メールの内容をデータベース２に格納する（ｓ１３１，ｓ１３２）。受領確認の電子メールについては注文書の電子メールをそのまま返信することとしてもよい。なお、提供者は、注文書を受け取ったならば、そこに記載されている要求者の連絡先に基づいて要求者と直接連絡をとり、その後の売買手続へと移行させればよい。
【００５２】
＝＝＝モデルデータの変更＝＝＝
登録済みの設計モデル、提供モデル、要求モデルを後日変更できるようにしてもよい。具体的な手順としては、例えば、設計者が自身の設計モデルを変更するのであれば、設計者コンピュータ１０にてＩＤとパスワードと変更する設計モデルのＩＤとを支援装置１に送付し、支援装置１がアクセスしてきた設計者コンピュータ１０を認証したならば、該当の設計モデルデータへの変更を受け付けるためのＷｅｂページを設計者コンピュータ１０に送達する。設計者コンピュータ１０にて変更情報を入力し、それを支援装置１に送付する。支援装置１がこの変更情報に基づいて元の設計モデルデータを変更してデータベース２を更新する。
【００５３】
＝＝＝各モデルの提示方法＝＝＝
上述したように、各種手続の場面で、各者のコンピュータ（１０，２０，３０）が設計モデル・提供モデル・要求モデルなどを取り寄せる際、支援装置１からはその起源となるモデルデータが送達されていた。この例に限らず、支援装置１が各モデルをより解りやすくするためのデータに変換・加工し、その変換・加工データ（展開データ）を送達することとしてもよい。例えば、支援装置１が展開データとしてモデルデータに基づくモデルの完成予想図（斜視図、三面図など）の画像データを生成すれば、各者は各モデルが示唆する商品の具体的なイメージをより容易に実感することができる。特に専門的な知識が乏しいと思われる要求者にとってその恩恵は大きい。
【００５４】
＝＝＝ビジネスモデル＝＝＝
支援装置１を管理する商品仲介業者は、この装置を設計者・提供者・供給者の利用に供する代償として何らかの報酬を得なくては、ビジネスモデルが確立できない。例えば、設計者が自身の設計モデルを登録するために商品仲介業者に登録料を支払ったり、提供者が製造・販売する商品のひな形となる設計モデルを購入し、その購入代金の一部を手数料として徴収したりすることが考えられる。要求者も同様に、ある設計モデルに基づいて要望や変更を加えた商品を売買市場に登録する際にその設計モデルを購入する。あるいは売買市場への登録費用を聴取する。提供者と要求者との間で売買契約が成立した際に、その売買代金の一部を手数料として徴収するなど、さまざまなビジネスモデルが考えられる。
【００５５】
【発明の効果】
本発明の商品仲介支援装置によれば、設計者が提案したデザインに基づいて商品提供者が実際に商品を製造販売する際の仲介支援や、設計者が提案したデザインに商品要求者の希望を反映させた商品の実際に製造・売買する際の仲介支援を行うことができる。したがって、商品の仕様変更を柔軟に行え、個々の商品要求者の希望に個別に対応できる商品を実際に製造・販売させることができる。
【図面の簡単な説明】
【図１】本発明の実施例に係る商品仲介支援装置を含むネットワーク構成図である。
【図２】上記商品仲介支援装置が提供する商品仲介サービスの流れ図である。
【図３】上記商品仲介サービスにおける設計モデル登録手続の手順図である。
【図４】上記商品仲介支援装置が設計者コンピュータに送達する設計モデル登録ページの概略図である。
【図５】上記商品仲介支援装置のデータベースで管理される設計モデルデータの概略図である。
【図６】上記商品仲介サービスにおける提供モデル登録手続の手順図である。
【図７】上記商品仲介支援装置のデータベースで管理される提供モデルデータの概略図である。
【図８】上記商品仲介サービスにおける要求モデル登録手続の手順図である。
【図９】上記商品仲介サービスにおける要求モデル変更手続の手順図である。
【図１０】上記商品仲介支援装置のデータベースで管理される要求モデルデータの概略図である。
【図１１】上記商品仲介サービスにおける要求モデル売買市場登録手続の手順図である。
【図１２】上記商品仲介サービスにおける提供モデル売買市場登録手続の手順図である。
【図１３】上記商品仲介サービスにおける注文手続の手順図である。
【符号の説明】
１  商品仲介支援装置
２  データベース
１０  設計者コンピュータ
２０  提供者コンピュータ
３０  要求者コンピュータ
【図１】
2004234127.tif 000003
【図２】
2004234127.tif 000004
【図３】
2004234127.tif 000005
【図４】
2004234127.tif 000006
【図５】
2004234127.tif 000007
【図６】
2004234127.tif 000008
【図７】
2004234127.tif 000009
【図８】
2004234127.tif 000010
【図９】
2004234127.tif 000011
【図１０】
2004234127.tif 000012
【図１１】
2004234127.tif 000013
【図１２】
2004234127.tif 000014
【図１３】
2004234127.tif 000015